(57)【特許請求の範囲】
【請求項１】
球流出口と球供給部材と球誘導傾斜面とを有し、上受皿に保留された遊技球を１個ずつ発射レール上に供給する球供給装置を備えた弾球遊技機であって、
前記球流出口は、前記上受皿から供給される遊技球を前記球供給部材に供給し、
前記球供給部材は、
所定の位置を中心に回動する回動杵と、前記回動杵の一端に配置され前記球流出口から供給される遊技球を受け入れる球受部材と、前記回動杵の他端に配置され、前記球受部材より重さが大きくされている重りと、から構成されており、
前記球受部材は、遊技球が１個のみ入球可能な球受口を有し、
前記球誘導傾斜面は、前記球受部材から供給された遊技球を前記発射レール上に誘導させるものであり、
前記球受部材は、
遊技球を受け入れている状態では前記遊技球の重さにより前記重りより重くなるように設定されており、
遊技球を受け入れ可能な状態では前記重りと略水平状態で待機し、かつ、前記球受口が前記球流出口と向き合う位置にあり、遊技球を受け入れている状態になると略水平状態から下方に傾き遊技球を下方に流下させ、遊技球を流下させた後は前記重りの自重により再び前記重りと略水平状態となり、前記球誘導傾斜面が前記球受部材の略鉛直下方に位置することを特徴とする弾球遊技機。
【請求項２】
前記球受部材は、
前記球受部材に先行遊技球が入球した後、後続して前記上受皿から供給されてきた後続遊技球を一時的に保留させるための球止手段を備えたことを特徴とする請求項１記載の弾球遊技機。
【発明の詳細な説明】
【０００１】
【発明の属する技術分野】
本発明は、上受皿に保留された遊技球を１個ずつ発射レール上に供給する球供給装置を備えた弾球遊技機に関する。
【０００２】
【従来の技術】
従来の弾球遊技機は、上受皿の球出口から上受皿裏面側に排出されてきた遊技球を球供給装置の球受部材に受け入れ、前記球受部材の動作によって発射レール上に誘導されるように構成されていた。前述した球受部材の動作はソレノイド等の駆動装置によって行われていた。
【０００３】
【発明が解決しようとする課題】
しかしながら、このような従来の弾球遊技機の球供給装置では、ソレノイド等の駆動装置を必要とするため、駆動機構部品や駆動制御部品等も必要となり、構造も複雑なものであった。これにより、生産工程及び部品管理等が複雑化されるといった課題が考えられた。
【０００４】
【課題を解決するための手段】
上記課題を解決するために、請求項１に記載の発明の弾球遊技機は、球流出口と球供給部材と球誘導傾斜面とを有し、上受皿に保留された遊技球を１個ずつ発射レール上に供給する球供給装置を備えた弾球遊技機であって、前記球流出口は、前記上受皿から供給される遊技球を前記球供給部材に供給し、前記球供給部材は、所定の位置を中心に回動する回動杵と、前記回動杵の一端に配置され前記球流出口から供給される遊技球を受け入れる球受部材と、前記回動杵の他端に配置され、前記球受部材より重さが大きくされている重りと、から構成されており、前記球受部材は、遊技球が１個のみ入球可能な球受口を有し、前記球誘導傾斜面は、前記球受部材から供給された遊技球を前記発射レール上に誘導させるものであり、前記球受部材は、遊技球を受け入れている状態では前記遊技球の重さにより前記重りより重くなるように設定されており、遊技球を受け入れ可能な状態では前記重りと略水平状態で待機し、かつ、前記球受口が前記球流出口と向き合う位置にあり、遊技球を受け入れている状態になると略水平状態から下方に傾き遊技球を下方に流下させ、遊技球を流下させた後は前記重りの自重により再び前記重りと略水平状態となり、前記球誘導傾斜面が前記球受部材の略鉛直下方に位置するように構成される。
【０００５】
【発明の実施の形態】
上記のように構成された弾球遊技機においては、
球供給装置の球供給部材は、球受部材に遊技球が入球している状態の時には前記球受部材が重心部より重くなり、入球していない状態の時には前記重心部は前記球受部材より重くなる。これにより、球供給部材は回動杵の所定の位置を中心として回動するよう作用する。
【０００６】
【具体例】
本発明の弾球遊技機について、図１〜図７を参照にして説明する。
図１に示す弾球遊技機１には遊技盤２が備えられると共に、遊技盤２の前面は、ガラス枠３を介して前面枠４に装着された二重のガラス５ａ，５ｂで覆われている。これにより、遊技盤２と内側のガラス５ａの間には遊技領域６が形成される。
【０００７】
前面枠４の上部にはいわゆる大当りが発生した時に点滅する大当りランプ７が組み付けられている。また、前面枠４は、右側部に設けられた鍵８を操作することにより、左側部の裏面側に装着されているヒンジ（図示略）を軸として開閉可能である。
前面枠４の下方には上受皿１０が設けられた上皿部材１１が配されており、更に上皿部材１１の下方には下受皿１２が設けられた下皿部材１３が配されている。上受皿１０及び下受皿１２には、それぞれに弾球遊技機１からの遊技球を排出するための上皿排出口１４及び下皿排出口１５が開口している。また、上皿部材１１には複数の小長穴からなるスピーカー面１６が設けられており、スピーカー面１６の裏面には遊技状態に応じて音声を発生するスピーカー（図示略）が装着されている。更に上受皿１０内の右端近辺には、遊技球を上皿部材１１の裏面側に排出するための球出口１７が貫設されており、上受皿１０内に保留されている遊技球が球出口１７を介して上皿部材１１の裏面側に誘導されるように構成されている。
尚、遊技球は下皿部材１３に設けられた操作ハンドル１８を操作することにより遊技盤２上に発射される。
【０００８】
上皿部材１１は左側部の裏面側に装着されているヒンジ（図示略）を軸として開閉可能であるが、通常の使用時には、上皿部材１１は前面枠４によって上辺部分を押えられ開放を防止されている。従って、上皿部材１１を開くには、前面枠４を開放し右裏側のロック（図示略）を解除する必要がある。
前面枠４及び上皿部材１１は、前述した各々のヒンジを介して後述する裏盤２０の正面に配置され、遊技盤２は裏盤２０の裏面に固定されている。また、下皿部材１３は裏盤２０の正面に固定されている。
【０００９】
次に前述した裏盤２０について説明する。
図２に示すように、裏盤２０の上方には略長方形状の貫通穴２１が設けられており、この貫通穴２１は、遊技盤２を裏盤２０裏面に取り付けた際に、遊技盤２の前面が露出される大きさに形成されている。また、裏盤２０の下方には取付面２２が形成されており、取付面２２右側には発射レール２３が取り付けられている。この発射レール２３の下方には槌２４を回動自由に備えたロータリーソレノイド（図示略）が配設されており、このロータリーソレノイドは操作ハンドル１８を操作することにより槌２４を回動させ、槌２４の先端で発射レール２３上の遊技球を叩打可能に構成されている。
【００１０】
更に裏盤２０には、前述した上受皿１０及び下受皿１２の上皿排出口１４及び下皿排出口１５の各々に対応した位置に上皿流出口２５及び下皿流出口２６が貫設されている。上皿流出口２５は裏盤２０の裏面に備えられている遊技球流通機構（図示略）から排出されてきた遊技球を上皿排出口１４を介して上受皿１０に排出させ、下皿流出口２６は上受皿１０が遊技球で満たされている場合に、前記遊技球流通機構から排出されてきた遊技球を下皿排出口１５を介して下受皿１２に排出させるように構成されている。
尚、遊技盤２及び裏盤２０の裏面には、弾球遊技機１を制御する電子制御装置やその他機構等が備えられているが、これらは周知の技術であり図示及び説明は省略する。
【００１１】
次に、上受皿１０内の遊技球を発射レール２３に供給する球供給装置３０について図３〜図７を参照して説明する。
図３及び図５に示すように球供給装置３０は、球供給部材３１と、球供給部材を取り付ける取付凹部３２とに大別される。
球供給部材３１は、図４に示すように、上部に球止部３３ａを有し遊技球を受け入れるための球受口３３ｂが設けられた球受部材３３と、重り３４と、中央に軸穴３５ａを有し、球受部材３３と重り３４を連結するための回動杵３５とにより構成されている。尚、球受口３３ｂは球受部材３３の左側面に設けられており、遊技球を１個のみ受入可能である。また、通常は、重り３４は球受部材３３より重くなっているが、球受部材３３に遊技球が受け入れられている状態では球受部材３３は重り３４より重くなるように設定されている。
【００１２】
取付凹部３２は、図３に示すように上皿部材１１の裏面側左方に形成されており、この取付凹部３２の中央近辺には軸ピン４０が、右側上方及び下方には一定の間隔を保ってストッパー４１及びストッパー４２が突設されている。前述した球供給部材３１は回動杵３５の軸穴３５ａを取付凹部３２の軸ピン４０に挿入し、軸ピン４０先端に止め部材４３を固定することによって回動自由に軸着される。この時、球供給部材３１の重り３４は、図５に示すように、ストッパー４１とストッパー４２との間に位置し、ストッパー４１とストッパー４２との間のみ回動可能である。
ストッパー４２は、自重によって下方に回動しようとする球供給部材３１の重り３４を支え、球供給部材３１を通常時は略水平状態に待機させる。また、ストッパー４１は重り３４の上方に設けられ、球供給部材３１を略水平状態から左回りの回動量を４５度程度に制限するように構成されている。更に、取付凹部３２の左下方には、球供給部材３１の回動によって落下してきた遊技球を下方に流下させるための球誘導傾斜面４４が形成されている。
尚、前述した取付凹部３２は、裏盤２０に上皿部材１１を取り付けた際、裏盤２０の発射レール２３の上方に位置し、球誘導傾斜面４４は落下してきた遊技球が発射レール２３上に誘導されるように構成されている。
【００１３】
また、取付凹部３２の左側面の中央近辺には球流出口４５が貫設されており、球流出口４５と上受皿１０の球出口１７は樋４６によって連絡されている。これにより上受皿１０内の遊技球は球出口１７及び樋４６を経て球流出口４５から取付凹部３２に流出可能となる。
尚、球流出口４５は球供給部材３１が略水平状態の時、球流出口４５の位置と球供給部材３１の球受口３３ｂの位置とが合致するように構成されている。これにより、球流出口４５から流出されてきた遊技球は球受口３３ｂに受け入れられる。
【００１４】
上記のように構成された弾球遊技機１においては、通常は球供給部材３１は略水平に待機されているので、図５に示すように上受皿１０の球出口１７から排出されてきた先行遊技球Ｂ１は樋４６を経て球流出口４５から流出され、球受部材３３の球受口３３ｂに入球する。この時、球受部材３３の球受口３３ｂには遊技球は１個のみが入球可能なため後続遊技球Ｂ２は球流出口４５近辺に保留された状態となる。
先行遊技球Ｂ１を受け入れた球受部材３３は重り３４より重くなり、図６に示すように左回りに回動するが、前述したようにストッパー４１により回動量が制限されているので４５度程度回動し、先行遊技球Ｂ１は下方に落下し球誘導傾斜面４４によって裏盤２０の発射レール２３上に誘導される。この際、球供給部材３１が回動すると同時に球受部材３３上部に設けられている球止部３３ａも回動し、球流出口４５を塞ぎ、後続遊技球Ｂ２は引続き球流出口４５近辺で保留される。
【００１５】
球受部材３３内の先行遊技球Ｂ１が落下すると、球受部材３３は重り３４より軽くなるので、図７に示すように球供給部材３１は右回りに回動し、再び略水平状態となる。これにより、後続遊技球Ｂ２は球受部材３３の球受口３３ｂに入球する。この時点で後続遊技球Ｂ２は先行遊技球となり、新たな後続遊技球が球流出口４５近辺に保留されると図５に示す状態となり、前述した動作を繰り返す。
【００１６】
以上詳細に説明したように、本具体例の弾球遊技機１によると、球供給装置３０の球供給部材３１は球受部材３３と重り３４との重さ（重力モーメント）のバランスによって回動を行う。これにより、ソレノイド等の駆動装置を取り付ける必要はなくなり生産工程が簡素化されるという効果を奏する。また、部品点数も減り、部品管理が簡略化されるという効果も有する。
【００１７】
本具体例においては、重り３４が重心部に対応し、軸穴３５ａが所定位置に対応する。また、球止部３３ａは球止手段に対応する。
尚、本発明は、その要旨を逸脱しない範囲で様々に実施できることは言うまでもない。
【００１８】
【発明の効果】
請求項１に記載の発明の弾球遊技機によると、球供給装置の球供給部材は、球受部材の重力モーメントの変化によって回動を行う。これにより、ソレノイド等の駆動装置を取り付ける必要はなくなり生産工程が簡素化されるという優れた効果を奏する。また、部品点数も減り、部品管理が簡略化されるという効果も有する。
【００１９】
また、請求項２に記載の発明の弾球遊技機によると、請求項１に記載の発明の弾球遊技機と同様の効果を有する他、球受部材の球止手段によって後続遊技球を一時的に保留させることができるので、後続遊技球が球受部材の回動の障害となる虞がなくなり、球供給部材を円滑に回動させることができるといった優れた効果を奏する。
【図面の簡単な説明】
【図１】本具体例の弾球遊技機を示す正面図である。
【図２】本具体例の弾球遊技機の裏盤を示す正面図である。
【図３】本具体例の弾球遊技機の球供給装置を示す斜視分解図である。
【図４】本具体例の球供給装置の球供給部材を示す斜視分解図である。
【図５】本具体例の球供給装置の動作を示す摸式図であり、球供給部材の待機状態を示す正面図である。
【図６】本具体例の球供給装置の動作を示す摸式図であり、球供給部材が左回りに４５度程度回動した状態を示す正面図である。
【図７】  本具体例の球供給装置の動作を示す摸式図であり、球供給部材が再び待機状態となった状態を示す正面図である。
【符号の説明】
１・・・弾球遊技機          ２・・・遊技盤        ３・・・ガラス枠
４・・・前面枠                  ５ａ，５ｂ・・・ガラス
６・・・遊技領域      ７・・・大当りランプ        ８・・・鍵
１０・・・上受皿            １１・・・上皿部材    １２・・・下受皿
１３・・・下皿部材          １４・・・上皿排出口  １５・・・下皿排出口
１６・・・スピーカー面      １７・・・球出口      １８・・・操作ハンドル
２０・・・裏盤              ２１・・・貫通穴      ２２・・取付面
２３・・・発射レール        ２４・・・槌          ２５・・・上皿流出口
２６・・・下皿流出口        ３０・・・球供給装置  ３１・・・球供給部材
３２・・・取付凹部          ３３・・・球受部材    ３３ａ・・・ストッパー
３３ｂ・・・球受口          ３４・・・重り        ３５・・・回動杵
３５ａ・・・軸穴                ４０・・・軸ピン
４１，４２・・・ストッパー      ４３・・・止め部材
４４・・・球誘導傾斜面      ４５・・・球流出口    ４６・・・樋
【図１】
0004016404.tif 000002
【図２】
0004016404.tif 000003
【図３】
0004016404.tif 000004
【図４】
0004016404.tif 000005
【図５】
0004016404.tif 000006
【図６】
0004016404.tif 000007
【図７】
0004016404.tif 000008